(57)【要約】【課題】主に自動車内の各種電子機器の操作に用いられる照光スイッチ装置に関し、簡易な構成で、表示部の表示が視認し易いものを提供することを目的とする。【解決手段】操作体１０の内側面部であるガイド壁部１０Ｅと外側面部１０Ｆとの間に上方へ窪む窪部１０Ｇを形成すると共に、この窪部１０Ｇにケース１２上面から遮光壁部１２Ｄを一体に突出させることによって、操作体１０下方の発光素子５からガイド壁部１０Ｅに導光された光が、非透光性の遮光壁部１２Ｄにより遮られて外側面部１０Ｆとケース１２上面との間から外方へ漏れないため、表示部１０Ｃの表示が視認し易い照光スイッチ装置を実現することができる。【選択図】図１
2015133273.tif 000002
【特許請求の範囲】
【請求項１】
上面とこの上面の端部から下方に伸びた外側面部が非透光性の被覆部で覆われると共に、前記上面に透光性の表示部が形成された操作体と、前記操作体の前記外側面部内側の内側面部を中空筒部に上下動可能に装着したケースと、前記操作体の上下動により電気的接離が行なわれるスイッチ接点と前記操作体下面を照光する発光素子からなり、前記操作体の前記外側面部と前記内側面部との間に上方に窪む窪部を形成すると共に前記窪部に前記ケース上面から遮光壁部を一体に突出させた照光スイッチ装置。
【発明の詳細な説明】
【技術分野】
【０００１】
本発明は、主に自動車内の音響や空調機器等の各種電子機器の操作に用いられる照光スイッチ装置に関するものである。
【背景技術】
【０００２】
近年、自動車において、ステアリングホイール近傍やフロントパネル部に照光スイッチ装置を配置し、夜間でもオーディオやエアコン等の各種電子機器の操作を行い易くしたものが増えている。
【０００３】
このような従来の照光スイッチ装置について、図３、図４を用いて説明する。
【０００４】
図３は従来の照光スイッチ装置の断面図、図４は同分解斜視図であり、同図において、１及び９は絶縁樹脂製の操作体で、透明または乳白色等の透光部１Ａ、９Ａの外面が塗装等によって、黒色や暗灰色等の非透光性の被覆部１Ｂ、９Ｂで覆われると共に、上面には透光部１Ａ、９Ａが露出した、文字や記号等の形状で透光性の表示部１Ｃ、９Ｃが形成されている。
【０００５】
また、２は絶縁樹脂製のケースで、ケース２上面には上方へ突出する複数の中空筒部２Ａ、２Ｂが設けられ、この中空筒部２Ａ、２Ｂに操作体１、９の内側面部が上下動可能に装着されている。
【０００６】
なお、操作体１の左側下方のケース２上面には、後述する照光スイッチ装置が装着される取付スペースの制約上、操作体１と重なるようにボス部２Ｃが突出形成され、中空筒部２Ａ左側面の外方に操作体１下面から内側面部であるガイド壁部１Ｅが延出すると共に、操作体１の左外周にはガイド壁部１Ｅより上下方向の長さが短い外側面部１Ｆが形成されている。
【０００７】
また、ガイド壁部１Ｅは操作体１の外側面部１Ｆより内側の下面に突出形成されているため、塗装による非透光性の被覆部１Ｂは形成されていない。
【０００８】
そして、３は上下面に複数の導電パターン（図示せず）が形成された配線基板で、上面にはスイッチ接点としてのプッシュスイッチ４が実装され、このプッシュスイッチ４の操作部４Ａに、操作体１下面から下方へ突出した押圧部１Ｄが当接している。
【０００９】
また、この配線基板３にはコネクタ（図示せず）や他の電子部品（図示せず）が実装されると共に、プッシュスイッチ４側方には、発光ダーオード等の発光素子５が実装されている。
【００１０】
さらに、ビス６が配線基板３の通孔３Ａを挿通してケース２のボス部２Ｃ内に締付けられて、配線基板３とケース２の一部が固定されると共に、他の複数の箇所（図示せず）で同様にビス止めされて配線基板３とケース２が固定され、照光スイッチ装置が構成されている。
【００１１】
そして、このような照光スイッチ装置はステアリングホイール近傍に装着され、プッシュスイッチ４や発光素子５等がコネクタを介して、オーディオやエアコン等の各種電子機器や、自動車の電子回路（図示せず）に電気的に接続される。
【００１２】
以上の構成において、操作体１を下方へ押圧操作すると、押圧部１Ｄが操作部４Ａを押圧して、プッシュスイッチ４が電気的に動作し、例えば、オーディオの音量やエアコンの温度等の切換えが行われる。
【００１３】
また、このとき、発光素子５を発光させると、この光が操作体１の透光部１Ａ、９Ａ全体を照光して、文字や記号等の形状で透光性の表示部１Ｃ、９Ｃが照光されるため、夜間等の周囲が暗い場合でも、表示部１Ｃ、９Ｃの表示や、操作体１、９の位置が確認し易いように構成されているものであった。
【００１４】
なお、この出願の発明に関連する先行技術文献情報としては、例えば、特許文献１が知られている。
【先行技術文献】
【特許文献】
【００１５】
【特許文献１】特開２００５−２８５７３６号公報
【発明の概要】
【発明が解決しようとする課題】
【００１６】
上記従来の照光スイッチ装置は、これが装着される取付スペースの制約上、操作体１外周の下方にビス止め用のボス部２Ｃが設けられ、操作体１の外側面部１Ｆの内側に中空筒部２Ａにガイドされる透光性の内側面部であるガイド壁部１Ｅが形成されている。このため、発光素子５を発光させ操作体１の表示部１Ｃを照光させた際に、発光素子５の光が上方の操作体１下面の透光部１Ａを介してガイド壁部１Ｅの下部から外方へ光が漏れて、表示部１Ｃの表示等が見づらくなるという課題があった。
【００１７】
本発明は、このような従来の課題を解決するものであり、簡易な構成で、操作体の表示が視認し易い照光スイッチ装置を提供することを目的とする。
【課題を解決するための手段】
【００１８】
上記目的を達成するために本発明は、操作体の内側面部であるガイド壁部と概側面部との間に上方へ窪む窪部を形成すると共に、この窪部にケース上面から遮光壁を一体に突出させて照光スイッチ装置を構成する。
【発明の効果】
【００１９】
本発明によれば、ガイド壁部はケース上面から突出した遮光壁と操作体の非透光部が形成された外側面部によって外方が覆われるため、ガイド壁部からの光が操作体外周から漏れ難く、簡易な構成で、表示部の表示が視認し易いスイッチ装置を得ることができるという有利な効果が得られる。
【図面の簡単な説明】
【００２０】
【図１】本発明による照光スイッチ装置の断面図
【図２】同分解斜視図
【図３】従来の照光スイッチ装置の断面図
【図４】同分解斜視図
【発明を実施するための形態】
【００２１】
以下、本発明の実施の形態について、図１、図２を用いて説明する。
【００２２】
なお、これらの図面は構成を判り易くするために、部分的に寸法を拡大して表わしている。
【００２３】
（実施の形態）
図１は本発明の一実施の形態によるスイッチ装置の断面図、図２は同分解斜視図であり、同図において、１０及び１１はポリカーボネートやアクリル等の絶縁樹脂製の操作体で、透明または乳白色等の透光部１０Ａ、１１Ａの外面が塗装等によって、黒色や暗灰色等の非透光性の被覆部１０Ｂ、１１Ｂで覆われると共に、上面には透光部１０Ａ、１１Ａが露出した、文字や記号等の形状で透光性の表示部１０Ｃ、１１Ｃが形成されている。
【００２４】
また、１２はポリオキシメチレン等の絶縁樹脂製で非透光性のケースで、ケース１２上面には上方へ突出する複数の中空筒部１２Ａ、１２Ｂが設けられ、これらの中空筒部１２Ａ、１２Ｂに操作体１０、１１の内側面部が上下動可能に装着されている。
【００２５】
なお、操作体１０の左側下方のケース１２上面には、後述する照光スイッチ装置が装着される取付スペースの制約上、操作体１０の左端部と上下方向に重なるようにボス部１２Ｃが上方に向けて突出形成されると共に、ボス部１２Ｃ右端には中空筒部１２Ａの左側面と所定の間隙を空けて平板状の遮光壁部１２Ｄが一体に形成されている。
【００２６】
そして、中空筒部１２Ａの左側面と遮光壁部１２Ｄとの間には、操作体１０下面からガイド壁部１０Ｅが延出形成され、中空筒部１２Ａの左側が操作体１０の左側の内側面部であるガイド壁部１０Ｅ、また他方の右側が操作体１０右側の内側面部により各々ガイドされて、操作体１０が中空筒部１２Ａに上下動可能に装着されている。
【００２７】
また、操作体１０左側の外側面部１０Ｆとガイド壁部１０Ｅとの間には、上方へ窪んだ窪部１０Ｇが形成され、この窪部１０Ｇ内に遮光壁部１２Ｄが突出して配置されている。
【００２８】
なお、ガイド壁部１０Ｅや窪部１０Ｇの内側は操作体１０の外側面部１０Ｆより内側の下面に形成されているため、塗装等による非透光性の被覆部１０Ｂは形成されていない。
【００２９】
そして、３は上下面に複数の導電パターン（図示せず）が形成された紙フェノール樹脂やガラス入りエポキシ樹脂等の絶縁樹脂製の配線基板で、上面にはスイッチ接点としてのプッシュスイッチ４が実装され、このプッシュスイッチ４の操作部４Ａに、操作体１０、１１下面から下方へ突出した押圧部１０Ｄ、１１Ｄが当接している。
【００３０】
また、この配線基板３にはコネクタ（図示せず）や他の電子部品（図示せず）が実装されると共に、プッシュスイッチ４側方には、発光ダーオード等の発光素子５が実装されている。
【００３１】
さらに、ビス６が配線基板３の通孔３Ａを挿通してケース１２のボス部１２Ｃ内に締付けられて、配線基板３とケース１２の一部が固定されると共に、他の複数の箇所（図示せず）で同様にビス止めされて配線基板３とケース１２が固定され照光スイッチ装置が構成されている。
【００３２】
そして、このような照光スイッチ装置はステアリングボイール近傍に装着され、プッシュスイッチ４や発光素子５等がコネクタを介して、オーディオやエアコン等の各種電子機器や、自動車の電子回路（図示せず）に電気的に接続される。
【００３３】
以上の構成において、操作体１０や１１を下方へ押圧操作すると、押圧部１０Ｄ、１１Ｄが操作部４Ａを押圧して、プッシュスイッチ４が電気的に動作し、例えば、オーディオの音量やエアコンの温度等の切換えが行われる。
【００３４】
また、夜間やトンネル内を通行する際、ライトの点灯操作をすると同時に発光素子５が発光し、この光が操作体１０や１１の透光部１０Ａ、１１Ａ全体を照光して、文字や記号等の形状で透光性の表示部１０Ｃ、１１Ｃが照光されるため、周囲が暗い場合でも、表示部１０Ｃ、１１Ｃの表示や、操作体１０や１１の位置が確認し易いようになっている。
【００３５】
このとき、操作体１０下方の発光素子５からの光は、上方の操作体１０下面の透光部１０Ａを介してガイド壁部１０Ｅ内に導光され、ガイド壁部１０Ｅ外方に光が漏れるが、非透光性の遮光壁部１２Ｄによって外側面部１０Ｆとケース１２の上面との間から外方へ光が漏れ難くなっている。
【００３６】
つまり、操作体１０左側の下方にはボス部１２Ｃが配置されているため、外側面部１０Ｆの下方への長さは中空筒部１２Ａをガイドするガイド壁部１０Ｅの長さより短くなるが、外側面部１０Ｆとガイド壁部１０Ｅとの間に遮光壁部１２Ｄが配置されることによって、ガイド壁部１０Ｅに導光された光が遮光壁部１２Ｄに遮られて外方へは漏れない。
【００３７】
このように本実施の形態によれば、操作体１０の内側面部であるガイド壁部１０Ｅと外側面部１０Ｆとの間に上方へ窪む窪部１０Ｇを形成すると共に、この窪部１０Ｇにケース１２上面から遮光壁部１２Ｄを一体に突出させることによって、操作体１０下方の発光素子５からガイド壁部１０Ｅに導光された光が、非透光性の遮光壁部１２Ｄにより遮られて外側面部１０Ｆとケース１２上面との間から外方へ漏れないため、表示部１０Ｃの表示が視認し易い照光スイッチ装置を実現することができる。
【００３８】
なお、以上の説明では、操作体１０の下方にボス部１２Ｃがケース１２上面から突出形成された場合について説明したが、外側面部が下方に延出できないような傾斜部や凸部がケース上面に形成されている場合でも本願発明の適用は可能である。
【産業上の利用可能性】
【００３９】
本発明における照光スイッチ装置は、簡易な構成で、表示部の表示が視認し易いものにすることができ、主に自動車内の各種電子機器の操作用として有用である。
【符号の説明】
【００４０】
３  配線基板
３Ａ  通孔
４  プッシュスイッチ
４Ａ  操作部
５  発光素子
６  ビス
１０、１１  操作体
１０Ａ、１１Ａ  透光部
１０Ｂ、１１Ｂ  被覆部
１０Ｃ、１１Ｃ  表示部
１０Ｄ、１１Ｄ  押圧部
１０Ｅ  ガイド壁部
１０Ｆ  外側面部
１０Ｇ  窪部
１２  ケース
１２Ａ、１２Ｂ  中空筒部
１２Ｃ  ボス部
１２Ｄ  遮光壁部
【図１】
2015133273.tif 000003
【図２】
2015133273.tif 000004
【図３】
2015133273.tif 000005
【図４】
2015133273.tif 000006